(57)【要約】【課題】無線通信システムにおける暗号化保護方法及び装置を提供する。【解決手段】方法は、第一ＮＡＳメッセージに対して第一暗号化プロセスを行って、第二ＮＡＳメッセージにする段階と、暗号化されていないＲＲＣメッセージをＲＲＣ層で生成する段階と、上記第二ＮＡＳメッセージとＲＲＣメッセージを連結して第一連結メッセージにする段階と、上記第一連結メッセージにおいてシーケンス番号フィールド以外すべてのデータに対して第二暗号化プロセスを行い、第二連結メッセージにする段階と、上記第二連結メッセージを送信する段階とを含む。【選択図】図３
2011259473.tif 000002
【特許請求の範囲】
【請求項１】
無線通信システムにおいて暗号化保護を正確に実行する通信装置における暗号化保護方法であって、
第一ＮＡＳ（ノンアクセスストラタム）メッセージに対して第一暗号化プロセスを行って、第二ＮＡＳメッセージにする段階と、
暗号化されていないＲＲＣ（無線資源制御）メッセージをＲＲＣ層で生成する段階と、
上記第二ＮＡＳメッセージとＲＲＣメッセージを連結して第一連結メッセージにする段階と、
上記第一連結メッセージにおいてシーケンス番号フィールド以外すべてのデータに対して第二暗号化プロセスを行い、第二連結メッセージにする段階と、
上記第二連結メッセージを送信する段階と、
を含むことを特徴とする暗号化保護方法。
【請求項２】
前記第一暗号化プロセスはＲＲＣ層の上位層で行われることを特徴とする請求項１に記載の暗号化保護方法。
【請求項３】
前記第二暗号化プロセスはＲＲＣ層で行われることを特徴とする請求項１に記載の暗号化保護方法。
【請求項４】
前記第二暗号化プロセスはＲＲＣ層の下位層で行われることを特徴とする請求項１に記載の暗号化保護方法。
【請求項５】
無線通信システムにおいて暗号化保護を正確に実行する通信装置であって、
通信装置の機能を実現する制御回路と、
制御回路の中に設けられ、プログラムコードを実行して制御回路を制御するＣＰＵ（中央処理装置）と、
制御回路の中にＣＰＵと結合するように設けられ、プログラムコードを記録する記憶装置と、
を含み、
該プログラムコードは、
第一ＮＡＳメッセージに対して第一暗号化プロセスを行って、第二ＮＡＳメッセージにするコードと、
暗号化されていないＲＲＣメッセージをＲＲＣ層で生成するコードと、
上記第二ＮＡＳメッセージとＲＲＣメッセージを連結して第一連結メッセージにするコードと、
上記第一連結メッセージにおいてシーケンス番号フィールド以外すべてのデータに対して第二暗号化プロセスを行い、第二連結メッセージにするコードと、
上記第二連結メッセージを送信するコードと、
を含むことを特徴とする通信装置。
【請求項６】
前記第一暗号化プロセスはＲＲＣ層の上位層で行われることを特徴とする請求項５に記載の通信装置。
【請求項７】
前記第二暗号化プロセスはＲＲＣ層で行われることを特徴とする請求項５に記載の通信装置。
【請求項８】
前記第二暗号化プロセスはＲＲＣ層の下位層で行われることを特徴とする請求項５に記載の通信装置。
【発明の詳細な説明】
【技術分野】
【０００１】
本発明は無線通信システムにおける暗号化保護方法に関し、特に暗号化保護を正確に実行し、情報の安全性を確保する方法及び装置に関する。
【背景技術】
【０００２】
第三世代移動通信技術は高スペクトル利用効率、高カバー率、優れた通話品質と高速伝送を実現するとともに、ＱｏＳ（サービス品質）の確保、柔軟性のある双方向通信の実現、通話中断率の低減に大きく寄与する。従来の第三世代移動通信規格によれば、第三世代移動通信システムのプロトコルスタックはＡＳ（アクセスストラタム）、ＮＡＳ（ノンアクセスストラタム）に分けられ、ＡＳには副層としてＲＲＣ（無線資源制御）、ＲＬＣ（無線リンク制御）、ＭＡＣ（媒体アクセス制御）、ＰＤＣＰ（パケットデータ収斂プロトコル）、ＢＭＣ（ブロードキャスト／マルチキャスト制御）などが含まれる。詳しくは当業者に周知なので、ここで説明を省略する。
【０００３】
しかし、高速データ伝送とマルチメディアアプリケーションが発展する中で、第三世代移動通信のスペクトル利用効率と送信速度はもはや市場の要求に対応できなくなっている。したがって、次世代の通信技術が必要とされ、それにかかる通信プロトコルの改定も行われている。
【０００４】
例えばＬＴＥ（ｌｏｎｇ  ｔｅｒｍ  ｅｖｏｌｕｔｉｏｎ）無線通信システムは、第三世代移動通信システム（例えばＵＭＴＳ（汎用移動通信システム））をもとに確立されたアドバンスド高速無線通信システムである。ＬＴＥ無線通信システムはパケット交換のみサポートし、そのＲＬＣ層とＭＡＣ層は基地局（ノードＢ）とＲＮＣ（無線ネットワークコントローラ）に別々に設けるのでなく、同一のネットワークエンティティー（例えば基地局）に統合されているので、構造が比較的に簡単である。
【０００５】
完備した通信規格を制定するには多数の修正と改定が必要とされる。ＬＴＥ無線通信システムの構造は一部、技術報告の段階にとどまり、正式なプロトコル規格にはなっていない。また、一部のプロトコルエンティティーの機能もまだ研究中であって改善を待っている。
【０００６】
ＬＴＥ無線通信システムの規定された構造については以下のとおりである。
１．ユーザープレーンのプロトコル構造は下から上まで物理層、ＭＡＣ層、ＲＬＣ層、ＰＤＣＰ層からなる。
２．制御プレーンのプロトコル構造は下から上まで物理層、ＭＡＣ層、ＲＬＣ層、ＲＲＣ層、ＰＤＣＰ層、ＮＡＳからなる。
３．ユーザープレーンのデータ暗号化保護はＰＤＣＰ層で行われる。
４．制御プレーンのＲＲＣメッセージ暗号化保護と完全性保護はＲＲＣ層で行われ、ＮＡＳメッセージの暗号化保護と完全性保護はＰＤＣＰ層で行われる。
５．ＮＡＳメッセージはＲＲＣメッセージと連結（ｃｏｎｃａｔｅｎａｔｅ）することができる（連結しなくてもよい）。
６．非連結メッセージにはＲＲＣ層による完全性保護を与えない。
７．連結メッセージのＲＲＣ層による完全性保護の動作方式についてはまだ研究中である。
８．ＲＬＣ層ではプロトコルエラー検出と回復を実行する。
【０００７】
以上のとおり、連結メッセージの暗号化保護の動作方式については、従来規定されていないところである。
【発明の概要】
【発明が解決しようとする課題】
【０００８】
本発明は上記従来の問題を解決することを目的として、無線通信システムにおけるセキュリティー検証方法及び装置を提供することを課題とする。
【課題を解決するための手段】
【０００９】
本発明の一実施例によれば、無線通信システムにおいて暗号化保護を正確に実行する通信装置における暗号化保護方法が提供される。この暗号化保護方法は、第一ＮＡＳ（ノンアクセスストラタム）メッセージに対して第一暗号化プロセスを行って、第二ＮＡＳメッセージにする段階と、暗号化されていないＲＲＣ（無線資源制御）メッセージをＲＲＣ層で生成する段階と、上記第二ＮＡＳメッセージとＲＲＣメッセージを連結して第一連結メッセージにする段階と、上記第一連結メッセージにおいてシーケンス番号フィールド以外すべてのデータに対して第二暗号化プロセスを行い、第二連結メッセージにする段階と、上記第二連結メッセージを送信する段階と、を含む。
【００１０】
また、本発明の一実施例によれば、無線通信システムにおいて暗号化保護を正確に実行する通信装置が提供される。この通信装置は、通信装置の機能を実現する制御回路と、制御回路の中に設けられ、プログラムコードを実行して制御回路を制御するＣＰＵ（中央処理装置）と、制御回路の中にＣＰＵと結合するように設けられ、プログラムコードを記録する記憶装置と、を含み、該プログラムコードは、第一ＮＡＳメッセージに対して第一暗号化プロセスを行って、第二ＮＡＳメッセージにするコードと、暗号化されていないＲＲＣメッセージをＲＲＣ層で生成するコードと、上記第二ＮＡＳメッセージとＲＲＣメッセージを連結して第一連結メッセージにするコードと、上記第一連結メッセージにおいてシーケンス番号フィールド以外すべてのデータに対して第二暗号化プロセスを行い、第二連結メッセージにするコードと、上記第二連結メッセージを送信するコードと、を含む。
【発明の効果】
【００１１】
本発明は連結メッセージの暗号化保護に関して種々の方法を提案し、暗号化保護の確実な実行、情報安全性の向上を期する。
【図面の簡単な説明】
【００１２】
【図１】本発明の一実施例による無線通信装置のブロック図である。
【図２】図１に示すプログラムコードを表す説明図である。
【図３】本発明の一実施例による方法のフローチャートである。
【図４】本発明の一実施例による方法のフローチャートである。
【発明を実施するための形態】
【００１３】
かかる方法及び装置の特徴を詳述することを目的として、具体的な実施例を挙げ、図を参照にして以下に説明する。
【００１４】
図１を参照する。図１は無線通信システムに設けられる無線通信装置１００のブロック図である。該無線通信システムは望ましくはＬＴＥ無線通信システムである。説明を簡素化することを目的として、図１では無線通信装置１００の入力装置１０２、出力装置１０４、制御回路１０６、ＣＰＵ（中央処理装置）１０８、記憶装置１１０、プログラムコード１１２及びトランシーバー１１４のみ描かれている。無線通信装置１００では、制御回路１０６はＣＰＵ１０８を用いて記憶装置１１０に記録されたプログラムコード１１２を実行し、無線通信装置１００の動作を制御し、入力装置１０２（例えばキーボード）でユーザーが入力した信号を受信し、出力装置１０４（スクリーン、スピーカーなど）で映像、音声などの信号を出力する。無線信号を受発信するトランシーバー１１４は受信した信号を制御回路１０６に送信し、または制御回路１０６による信号を無線で出力する。言い換えれば、通信プロトコルに当てはめれば、トランシーバー１１４は第一層の一部とみなされ、制御回路１０６は第二層と第三層の機能を実現する。
【００１５】
図２を参照する。図２は図１に示すプログラムコード１１２を表す説明図である。プログラムコード１１２はＮＡＳインターフェイス２００と、第三層インターフェイス２０２と、第二層インターフェイス２０６を備え、第一層インターフェイス２１８と接続されている。ＮＡＳインターフェイス２００ではＮＡＳメッセージを生成してＮＡＳ機能を実行する。第三層インターフェイス２０２は望ましくはＲＲＣ層インターフェイスとＰＤＣＰ層インターフェイスを備え、これで資源制御を実行する。第二層インターフェイス２０６はリンク制御を実行し、第一層インターフェイス２１８は実体接続を実現する。
【実施例１】
【００１６】
本発明ではセキュリティー検証プログラムコード２２０を提供し、これで暗号化保護を実行する。図３を参照する。図３は本発明の実施例１による方法３０のフローチャートである。下記方法３０は無線通信システムにおける暗号化保護に用いられ、セキュリティー検証プログラムコード２２０としてコンパイルすることができる。
【００１７】
ステップ３００：開始。
ステップ３０２：第一ＮＡＳメッセージに対して第一暗号化プロセスを行って、第二ＮＡＳメッセージにする。
ステップ３０４：暗号化されていないＲＲＣメッセージをＲＲＣ層で生成する。
ステップ３０６：第二ＮＡＳメッセージとＲＲＣメッセージを連結して第一連結メッセージにする。
ステップ３０８：上記第一連結メッセージにおいてシーケンス番号フィールド以外すべてのデータに対して第二暗号化プロセスを行い、第二連結メッセージにする。
ステップ３１０：上記第二連結メッセージを送信する。
ステップ３１２：終了。
【００１８】
以上のとおり、本発明ではＲＲＣメッセージとＮＡＳメッセージを含んだ連結メッセージが形成した後に、該連結メッセージのシーケンス番号フィールド以外すべてのデータに対して第二暗号化プロセスを行う。望ましくは、上記第一暗号化プロセスはＲＲＣ層の上位層で行われ、上記第二暗号化プロセスはＲＲＣ層またはその下位層で行われる。
【００１９】
この場合、連結メッセージのフィールドがＲＲＣメッセージのものかＮＡＳメッセージのものかを問わず、全部第二暗号化プロセスで暗号化する。したがって、実施例１ではＮＡＳメッセージとＲＲＣメッセージを区別するためのフィールドを必要とせず、第二暗号化プロセスと、受信端の暗号化プロセスを簡素化して、エラーの発生率を低減させることができる。
【００２０】
以上のとおり、本発明はＲＲＣメッセージとＮＡＳメッセージを含んだ連結メッセージに対して暗号化保護プロセスを正確に実行し、暗号化プロセスを簡素化して不必要なフィールドを削除し、情報の安全性を向上させることができる。
【実施例２】
【００２１】
図４を参照する。図４は本発明の実施例２による方法４０のフローチャートである。下記方法４０は無線通信システムにおける暗号化保護に用いられ、セキュリティー検証プログラムコード２２０としてコンパイルすることができる。
【００２２】
ステップ４００：開始。
ステップ４０２：第一ＮＡＳメッセージに対して第一暗号化プロセスを行って、第二ＮＡＳメッセージにする。
ステップ４０４：暗号化されていないＲＲＣメッセージをＲＲＣ層で生成する。
ステップ４０６：第二ＮＡＳメッセージとＲＲＣメッセージを連結して第一連結メッセージにする。
ステップ４０８：上記第一連結メッセージにおいて、第一連結メッセージのシーケンス番号を示す第一フィールドを形成する。
ステップ４１０：上記第一連結メッセージにおいて、第二ＮＡＳメッセージの第一連結メッセージに対応する位置を示す第二フィールドを形成する。
ステップ４１２：第一連結メッセージの中のＲＲＣメッセージに対して第二暗号化プロセスを行い、第二連結メッセージにする。
ステップ４１４：上記第一フィールドと第二フィールドに対して第二暗号化プロセスを実行しない。
ステップ４１６：終了。
【００２３】
以上のとおり、本発明ではＲＲＣメッセージとＮＡＳメッセージを含んだ連結メッセージが形成した後に、該連結メッセージの中のＲＲＣメッセージのみを暗号化し、ＮＡＳメッセージには２回目の暗号化プロセスを実行しないので、ＮＡＳメッセージの不必要な暗号化は回避できる。上記方法４０の特徴は、連結メッセージに、連結メッセージにおいてＮＡＳメッセージの位置を示す第二フィールドを設けることにある。そうすると、受信端は正確に復号して本来のＲＲＣメッセージとＮＡＳメッセージに回復することができる。望ましくは、上記第一暗号化プロセスはＲＲＣ層の上位層で行われ、上記第二暗号化プロセスはＲＲＣ層またはその下位層で行われる。
【００２４】
したがって、本発明ではＲＲＣメッセージとＮＡＳメッセージを含んだ連結メッセージに対して暗号化プロセスを行い、受信端で正確に復号し、情報の安全性を高めることができる。
【００２５】
以上は本発明に好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【産業上の利用可能性】
【００２６】
本発明は従来の動作条件を変更したのみであり、実施可能である。
【符号の説明】
【００２７】
１００  無線通信装置
１０２  入力装置
１０４  出力装置
１０６  制御回路
１０８  ＣＰＵ
１１０  記憶装置
１１２  プログラムコード
１１４  トランシーバー
２００  ＮＡＳインターフェイス
２０２  第三層インターフェイス
２０６  第二層インターフェイス
２１８  第一層インターフェイス
２２０  セキュリティー検証プログラムコード
【図１】
2011259473.tif 000003
【図２】
2011259473.tif 000004
【図３】
2011259473.tif 000005
【図４】
2011259473.tif 000006